(57)【要約】      （修正有）【課題】口径が異なる消毒液ボトルに取付けが容易な、非接触式の消毒液ディスペンサーを提供する。【解決手段】消毒液ディスペンサー１は、ディスペンサー本体３と、ディスペンサー本体３の側面から突出する消毒液の吐出部５と、吐出部５に設けられたノズル７と、吐出部５に設けられたセンサー９と、ディスペンサー本体３の底面に設けられたボトル接続口１１と、ボトル接続口１１は、下方に開口する円柱状の空間であり、ボトル接続口１１に設けられた消毒液吸引口とを備える。【選択図】図１
0003234901.tif 000002
【実用新案登録請求の範囲】
【請求項１】
ディスペンサー本体と、
前記ディスペンサー本体の側面から突出する消毒液の吐出部と、
前記吐出部に設けられたノズルと、
前記吐出部に設けられたセンサーと、
前記ディスペンサー本体の底面に設けられたボトル接続口と、
前記ボトル接続口は、下方に開口する円柱状の空間であり、
前記ボトル接続口に設けられた消毒液吸引口と
を備えることを特徴とする消毒液ディスペンサー。
【請求項２】
前記吸引口に消毒液を吸引する吸引チューブが取り付けられている請求項１に記載の消毒液ディスペンサー。
【請求項３】
前記ディスペンサー本体は、略円柱状の形状であり、上から順に上方部、中央部、下方部とを有し、前記上方部は、側面視において、上方に向かって円柱の直径が漸次小さくなる曲面部を有し、ディスペンサー本体頂部は、平面状の上面を有し
前記中央部は、側面視において、円柱の直径がほぼ同一であり、
前記下方部は、側面視において、下方に向かって円柱の直径が漸次小さくなる曲面部を有する請求項１または２に記載の消毒液ディスペンサー。
【請求項４】
ディスペンサー本体中央部の直径（胴径）を１００％としたときに、側方から突出する吐出部の長さは、前記直径の１０％以上、５０％以下である請求項１〜３のいずれか一項に記載の消毒液ディスペンサー。
【請求項５】
前記センサーが人の手を感知して、消毒液を吸引し、噴霧するように構成されている請求項１〜４のいずれか一項に記載の消毒液ディスペンサー。
【請求項６】
市販の消毒液ボトルに取り付けて使用するものである請求項１〜５のいずれか一項に記載の消毒液ディスペンサー。
【請求項７】
前記消毒液は、アルコールを含有するものである請求項1〜６のいずれか一項に記載の消毒液ディスペンサー。
【考案の詳細な説明】
【技術分野】
【０００１】
本考案は、消毒液ディスペンサーに関するものである。
【背景技術】
【０００２】
コロナウイルスの感染防止のために、手指のアルコール消毒が推奨されている。例えば、店舗などの入口に設置されているアルコール消毒器としては、足踏み式のアルコール消毒液ディスペンサーが知られている。足踏み式消毒器ディスペンサーは、下方に設けられたペダルを足で踏むことにより、上方に設置されているアルコール消毒液容器から、アルコール消毒液が噴霧されるように構成されている。
【０００３】
家庭用の卓上アルコール消毒器としては、例えば、アルコール消毒液を収納する容器と、この容器にシャワーポンプを取り付けた卓上アルコール消毒器が知られている。シャワーポンプタイプのアルコール消毒器は、シャワーポンプのヘッドを押し込むことにより、ノズルからアルコール消毒液が噴霧される。
【先行技術文献】
【特許文献】
【０００４】
【特許文献１】実開昭６４−２６２９４号公報
【特許文献２】特表２０１３−５１２０６６号公報
【特許文献３】特表２０１３−５４０１１８号公報
【特許文献４】特許第６８７０８８号公報
【考案の概要】
【考案が解決しようとする課題】
【０００５】
足踏み式のアルコール消毒液ディスペンサーは、手で触れることなくアルコール消毒液を噴霧できる点で優れているが、大型であるため室内で使用するには適していない。シャワーポンプを取り付けたアルコール消毒器は、使用をするためにシャワーポンプのヘッドを押し込む必要があり、非接触式のアルコール消毒器に比べて、衛生的ではないという印象を与える。本考案は、前記事情に鑑みてなされたものであり、新規の消毒液ディスペンサーを提供することを課題とする。
【課題を解決するための手段】
【０００６】
本考案の消毒液ディスペンサーは、ディスペンサー本体と、前記ディスペンサー本体の側面から突出する消毒液の吐出部と、前記吐出部に設けられたノズルと、前記吐出部に設けられたセンサーと、前記ディスペンサー本体の底面に設けられたボトル接続口と、前記ボトル接続口は、下方に開口する円柱状の空間であり、前記ボトル接続口に設けられた消毒液吸引口とを備えることを特徴とする。
【０００７】
本考案の消毒液ディスペンサーは、市販の消毒液ボトルに取り付けて使用するものである。本考案の消毒液ディスペンサーは、シャワーポンプタイプのアルコール消毒器のシャワーポンプとして好適に使用することができる。
【考案の効果】
【０００８】
本考案によれば、従来のアルコール消毒液の容器に容易に取り付けて使用することができる非接触式の消毒液ディスペンサーを提供することができる。特に、本考案の消毒液ディスペンサーは、ボトル口部の口径が異なる消毒液ボトルに対しても取付けが容易である。
【図面の簡単な説明】
【０００９】
【図１】本考案の消毒液ディスペンサーの一例の側面図である。
【図２】本考案の消毒液ディスペンサーの一例の斜視図である。
【図３】本考案の消毒液ディスペンサーの一例の平面図である
【図４】本考案のディスペンサー本体の一例の底面図である。
【図５】本考案のディスペンサー本体の一例の側面図である。
【図６】図５のＡ−Ａ線断面図である。
【図７】本考案のディスペンサー本体の接続口の組立斜視図である。
【図８】本考案の消毒液ディスペンサーを取り付ける消毒液ボトルの一例の説明図である。
【図９】ディスペンサー本体に、消毒液ボトルの口部を取り付ける態様を説明する説明図である。
【図１０】本考案のディスペンサーの一例の一部分解斜視図である
【考案を実施するための形態】
【００１０】
以下、本考案の消毒液ディスペンサーについて、図面を参照しながら説明するが、本考案の消毒液ディペンサーは、図面に示した態様に限定されるものではない。
【００１１】
図１は、本考案の消毒液ディスペンサーの一例の側面図であり、図２は、本考案の消毒液ディスペンサーの一例の斜視図である。本考案において、図１中、矢印Ａは、上下方向を示し、矢印Ｂは、前後方向を示す。
【００１２】
本考案の消毒液ディスペンサー１は、ディスペンサー本体３と、前記ディスペンサー本体３の側面から突出する消毒液の吐出部５と、前記吐出部５に設けられたノズル７と、前記吐出部５に設けられたセンサー９と、前記ディスペンサー本体３の底面に設けられたボトル接続口１１と、前記ボトル接続口１１は、下方に開口する円柱状の空間であり、前記ボトル接続口１１に設けられた消毒液吸引口１９とを備えることを特徴とする。
【００１３】
（ディスペンサー本体形状）
本考案のディスペンサー本体３の形状は、略円柱状の形状である。ディスペンサー本体３は、上から順に上方部３ａ、中央部３ｂ、下方部３ｃとを有することが好ましい。
【００１４】
ディスペンサー本体上方部３ａは、側面視において、上方に向かって円柱の直径が漸次小さくなる曲面部３ｄを有する。
【００１５】
ディスペンサー本体中央部３ｂは、側面視において、円柱の直径がほぼ同一であることが好ましい。ディスペンサー本体の下方部３ｃは、側面視において、下方に向かって円柱の直径が漸次小さくなる曲面部３ｅを有する。
【００１６】
ディスペンサー本体３の高さは、特に限定されないが、８ｃｍ以上が好ましく、９ｃｍ以上がより好ましく、１１ｃｍ以下が好ましく、１０ｃｍ以下がより好ましい。
【００１７】
図３は、本考案の消毒液ディスペンサーの平面図である。ディスペンサー本体３の頂部は、平面状の上面１５を有する。ディスペンサー本体３の頂部には、電源スチッチ１７が設けられている。
【００１８】
本考案の消毒液ディスペンサーは、消毒液ボトルから消毒液を吸引する吸引チューブ１３を有することが好ましい。
【００１９】
図４は、本考案のディスペンサー本体３の一例の底面図である。図５は、本考案のディスペンサー本体３の側面図であり、図６は、図５のＡ−Ａ線断面図である。
【００２０】
ディスペンサー本体３の底面には、消毒液ボトルの口部との接続口１１が設けられている。接続口１１は、下方に開口した略円柱状の空間である。接続口１１の円筒状内側側面２５には、９０度の間隔で３カ所に、上下方向に伸びる溝１８が設けられている。
【００２１】
前記接続口１１の中央には、消毒液の吸引口１９が設けられている。吸引口１９の形状は、特に限定されないが、円筒状であることが好ましい。円筒状の吸引口１９を吸引チューブ１３に差し込むことにより、吸引口１９に吸引チューブ１３を接続することができる。吸引チューブ１３の他方の端部を消毒液のボトルに挿入することにより、本考案の消毒液ディスペンサー１は、消毒液ボトルから消毒液を吸引することができる。
【００２２】
前記吸引チューブ１３は、シリコーン製であることが好ましい。シリコーン製チューブは軟質であり、消毒液ボトルの形状に応じて変形し、消毒液ボトルの底まで到達することができる。吸引チューブの長さは、消毒液ボトルの底に到達することができるものであれば特に限定されず、８ｃｍ以上が好ましく、１２ｃｍ以上が好ましく、１６ｃｍ以上がさらに好ましく、２８ｃｍ以下が好ましく、２４ｃｍ以下がより好ましく、２０ｃｍ以下がさらに好ましい。
【００２３】
前記接続口１１には、前記吸引口１９と、吸引口１９の外側に設けられた第１円筒部２１と、前記第１円筒部２１の外側に設けられた第２円筒部２３とが設けられている。第１円筒部２１と第２円筒部２３は、消毒液ボトルの口部との接続部である。
【００２４】
円筒状の吸引口１９と、第１円筒部２１と、第２円筒部２３と、接続口１１の内側側面２５とは、底面視において、同心円状になるように設けられていることが好ましい。
【００２５】
前記第１円筒部２１と第２円筒部２３との間には、間隔が設けられていることが好ましい。また、前記第２円筒部２３と接続口１１の内側側面２５との間には間隔が設けられていることが好ましい。
【００２６】
前記第１円筒部２１は、第２円筒部２３よりも長く、前記第１円筒部２１の下方先端２７は、第２円筒部２３から突出するように構成されていることが好ましい。また、前記第１円筒部の下方先端２７には、返し２９が設けられている
【００２７】
第２円筒部２３の内側側面には、雌ネジ３１が螺旋状に設けられていることが好ましい。
【００２８】
図７は、接続口１１の組立斜視図である。
【００２９】
前記接続口１１には、第１円筒部２１を有する第１円筒部材２０と、第２円筒部２３を有する第２円筒部材３０とが収納されている。
【００３０】
第１円筒部材２０は、中心に円形の開口２２を有する円形プレート２４と、前記開口２２の外側で円形プレートから垂直に起立する第１円筒部２１と、前記円形プレート２４の外周縁から垂直に起立する円周壁２６とを有する。第１円筒部２１の外周には、円形プレートの厚みよりも厚い段差部２８が設けられている。段差部２８と円周壁２６との間には空間が設けられている。前記開口２２と、第１円筒部２１と円周壁２６とは同心円状に設けられている。前記円周壁２６の高さは、第１円筒部２１の高さよりも低くなるように構成されている。
【００３１】
前記第１円筒部２１は、シリコーン製であることが好ましく、前記第１円筒部材２０がシリコーン製であることがより好ましい。
【００３２】
第２円筒部材３０は、第２円筒部２３と第２円筒部２３の外側に周方向に設けられた環状のベルト部３２とを有する。前記ベルト部材３２の外周面には突条３４が設けられていることが好ましい。前記突条３４は、上下方向に伸びる薄板状の形状を有することが好ましく、接続口１１の側壁に設けられた溝１８に嵌入するように配置されていることがこのましい。具体的には、前記突条３４は、９０度の間隔で３か所設けられている。第２円筒部２３は、上方端部２３aと下方端部２３ｂとを有する。第２円筒部２３の上方端部２３ａには、円周縁から内方に向って延設された円周部３６が設けられている。前記円周部３６は、第２円筒部２３の半径方向に所定の幅をする。
【００３３】
前記ベルト部材３２は、外周面に係止片３７を有することが好ましい。前記係止片３７は、第２円筒部２３の外方に向って折り曲がる返し（フック）を有することが好ましい。前記ベルト部材３２は、係止片３７を複数有することが好ましく、例えば、係止片３７を３個有することがより好ましい。また、前記係止片３７は、突条３４の間に設けられていることが好ましく、９０度の間隔で３か所設けられていることがより好ましい。また、接続口１１の側壁には、前記ベルト部材３２の係止片３７が係止する被係止部（例えば、突条あるいは凹部）が、周方向に設けられていることが好ましい。ベルト部材３２の係止片３７が、接続口１１に係止することにより、第２円筒部材３０が接続口１１に固定される。
【００３４】
前記第２円筒部２３は、特に限定されないが、ＡＢＳ製であることが好ましく、第２円筒部材３０がＡＢＳ製であることがより好ましい。
【００３５】
第２円筒部材３０を第１円筒部材２０に取付ける際には、第２円筒部材３０の上方端部２３ａを第１円筒部材２０の第１円筒部２１と円周壁２６との間に嵌めこむ。この際、第２円筒部材３０の上方端部２３ａに設けられた円周部３６が、第１円筒部材２０の段差部２８と円周壁２６との間に嵌合する。また、第２円筒部材３０のベルト部３２が、第１円筒部材２０の円周壁２６の下方端に当接する。
【００３６】
第２円筒部材３０のベルト部材の係止片３７が接続口１１の側壁の被係止部に係止することにより、第１円筒部材２０と第２円筒部材３０とが接続口１１に固定される。
【００３７】
図８は、本考案のディスペンサー１を取り付ける消毒液ボトルの一例を示す説明図である。消毒液ボトル８０は、円筒状のボトル口部８２を有する。前記ボトル口部８２の円筒状側壁８４の外側には雄ネジ３５が設けられている。
【００３８】
前記消毒液ボトル８０は、容量が２００ｍＬ以上であることが好ましく、３００ｍＬ以上であることがより好ましく、５００ｍＬ以上であることがさらに好ましく、３０００ｍＬ以下であることが好ましく、２０００ｍＬ以下であることがより好ましく、１５００ｍＬ以下であることがさらに好ましい。消毒液ボトルの容量が小さすぎると、本考案の消毒液ディスペンサーを取り付けたときに転倒しやすくなる。また、消毒液のボトルの容量が大きすぎると、取扱が不便になる。
【００３９】
一般に市販されている消毒液ボトル８０の口部８２の口外径としては、例えば、２０ｍｍ〜３２ｍｍである。市販品の消毒液ボトルの口部８２の口外径としては、例えば、２０ｍｍ、２４ｍｍ、２８ｍｍ、３２ｍｍのものが挙げられる。また、口内径は、口部の厚みによって変わるものであるが、例えば、１６ｍｍ〜３０ｍｍである。
【００４０】
消毒液ボトルの口部の高さは、１０ｍｍ以上が好ましく、１２ｍｍ以上がより好ましく、１４ｍｍ以上が好ましく、５０ｍｍ以下が好ましく、４０ｍｍ以下がより好ましく、３０ｍｍ以下がさらに好ましい。
【００４１】
図９は、ディスペンサー本体３の接続口１１に、消毒液ボトル８０の口部８２を取り付ける態様を説明する説明図（断面図）である。本考案の消毒液ディスペンサー１を消毒液ボトル８０の口部８２に取り付ける際には、接続口１１の第１円筒部２１を、消毒液ボトル８０の口部内に挿入し、消毒液ボトルの口部８２の円筒状側壁８４を、接続口１１の第１円筒部２１と第２円筒部２３との間に挿入する。
【００４２】
例えば、口内径が１９ｍｍ〜２３ｍｍの消毒液ボトル８０の口部８２に対しては、挿入された第１円筒部の下方先端２７の返し２９が、ボトル口部８２の付根の内面に係合することができる。
【００４３】
このような観点から、第１円筒部２１の円柱状本体の外径は、２３ｍｍ以下にしておくことが好ましく、２２ｍｍ以下にしておくことがより好ましく、２０ｍｍ以下にしておくことがさらに好ましく、例えば、１９．７ｍｍとすることが特に好ましい。
【００４４】
また、底面視における第１円筒部２１の下方先端の返しの外周縁の外径は、第１円筒部２１の円柱状本体の外径より、大きくしておくことが好ましい。底面視における第１円筒部２１の下方先端２７の返し２９の外周縁の直径（外径）は、１９ｍｍ以上とすることが好ましく、２０ｍｍ以上とすることがより好ましく、例えば、２３ｍｍとすることがさらに好ましい。
【００４５】
また、第１円筒部２１の長さは、消毒液ボトルの口部の長さと同じか、あるいは、消毒液ボトルの口部の長さよりも少し長くなるように設計されることが好ましい。このような観点から、第１円筒部２１の長さは、１０ｍｍ以上であることが好ましく、１４ｍｍ以上であることがより好ましく、２０ｍｍ以上であることがさらに好ましく、５０ｍｍ以下であることが好ましく、４０ｍｍ以下であることがより好ましく、３０ｍｍ以下であることがさらに好ましい。
【００４６】
前記第１円筒部２１の外周面には、複数の環状リブ（図示せず）が設けられていてもよい。前記環状リブは、周方向に連続する環状構造を有する。環状リブを設けることにより、第１円筒部２１が、消毒液ボトルの口部から抜けにくくなる。前記環状リブは、等間隔に設けられることが好ましい。環状リブの個数は、特に限定されないが、２以上が好ましく、例えば、３個設けることが好ましい。
【００４７】
前記環状リブの外径は、第１円筒部２１の下方先端２７の返し２９の外周縁の外径よりもやや小さくしておくことが好ましい。
【００４８】
一般に、消毒液が収納されるボトル口部の側壁の外側には雄ネジが設けられている。例えば、口外径が２８ｍｍ〜３２ｍｍの消毒液ボトルの口部に対しては、消毒液ボトルの口部の側壁８４の外側に設けられている雄ネジ３５が、第２円筒部２３の内側側面に設けられた雌ネジ３１と螺合する。この螺合により、ディスペンサー本体３を消毒液ボトルにしっかりと固定することができる。第２円筒部２３の内側側面の雌ネジ３１と、消毒液ボトル口の側壁の雄ネジ３５とが螺合することにより、本考案の消毒液ディスペンサーをしっかりと固定することができる。
【００４９】
このような観点から、第２円筒部２３の内径は、３４ｍｍ以下にしておくことが好ましく、３２ｍｍ以下にしておくことがより好ましく、３０ｍｍ以下にしておくことがさらに好ましく、例えば、３２ｍｍとすることが特に好ましい。
【００５０】
本考案の消毒液ディスペンサー１は、ディスペンサー本体の側面から突出する消毒液の吐出部５を有する。前記吐出部５は、ディスペンサー本体中央部３ｂの上側に設けられていることが好ましい。吐出部５の先端側には、スプレーノズル７が設けられており、消毒液がスプレーノズル７から噴霧される。
【００５１】
ディスペンサー本体中央部の直径Ｌ１（胴径）を１００％としたときに、側方から突出する吐出部５の長さＬ２は、１０％以上が好ましく１５％以上がより好ましく、２０％以上がさらに好ましく、５０％以下が好ましく、４５％以下がより好ましく、４０％以下がさらに好ましい。ディスペンサー本体中央部の直径Ｌ１に対する吐出部５が側方へ突出する長さＬ２の比率が大きくなりすぎると、バランスが悪くなり、ディスペンサー本体３が転倒するおそれがある。また、ディスペンサー本体中央部の直径に対する吐出口が側方へ突出する長さの比率が小さくなりすぎると、手指に消毒液を噴霧しにくくなる。
【００５２】
本考案のディスペンサー本体３は、センサー９を有することが好ましい。前記センサーは人の手を感知する。前記センサー９は、吐出部５の下方に設けられている。前記センサー９としては、特に限定されないが、例えば、赤外線式のセンサーを挙げることができる。
【００５３】
本発明の消毒液ディスペンサーは、吐出部５に設けられたセンター９が人の手を感知すると自動的に消毒液を噴霧するように構成されている。前記センサー９は、人の手を感知すると制御盤に信号を発信する。センサー９の信号を受信した制御盤は、アクチュエータを作動させ、消毒液ボトルから消毒液を吸引し、吐出部の先端側に設けられたノズル７から消毒液を噴霧する。
【００５４】
1回の噴霧における消毒液の吐出量は、１ｃｃ以上が好ましく、１．５ｃｃ以上がより好ましく、２ｃｃ以上がさらに好ましく、５ｃｃ以下が好ましく、４ｃｃ以下がより好ましく、３ｃｃ以下がさらに好ましい。
【００５５】
図１０は、本考案のディスペンサーの一例の一部分解斜視図である。本考案のディスペンサー本体３の上方部３ａには蓋４が設けられている。本考案のディスペンサー本体３には、電池８を収納する収納スペース６が設けられている。収納スペース６には、例えば、単三電池が４本収納されている。本考案の消毒液ディスペンサーは、電源を収納したコードレスタイプであり、卓上に設置しやすく、移動させることも容易である。前記電源により、センサー９およびアクチュエータが駆動する。
【００５６】
本考案の消毒液ディスペンサー１が噴霧する消毒液としては、特に限定されない。消毒液が含有する消毒成分としては、例えば、塩化ベンザルコニウム、塩化ベンゼトニウム、塩酸アルキルジアミノエチルグリシン、アルキルポリアミノエチルグリシン、グルコン酸クロルヘキシジン、エタノール、イソプロパノール、ポビドンヨード、ヨードチンキ、アクリノール、マーキュロクロム、オキシドール、次亜塩素酸ナトリウムなどを挙げることができ、これらのなかでも、次亜塩素酸ナトリウム、エタノールが好ましい。
【００５７】
本考案の消毒液ディスペンサー１の消毒液は、消毒成分としてアルコールを含有することが好ましく、消毒成分としてエタノールを含有することがより好ましい。
【符号の説明】
【００５８】
１：消毒液ディスペンサー、３：ディスペンサー本体、５：吐出部、７：ノズル、９：センサー、１１：接続口、１３：吸引チューブ、１９：消毒液吸引口、２１：第１円筒部、２３：第２円筒部、２７：第１円筒部の下方先端、２９：第１円筒部の先端返し
【図１】
0003234901.tif 000003
【図２】
0003234901.tif 000004
【図３】
0003234901.tif 000005
【図４】
0003234901.tif 000006
【図５】
0003234901.tif 000007
【図６】
0003234901.tif 000008
【図７】
0003234901.tif 000009
【図８】
0003234901.tif 000010
【図９】
0003234901.tif 000011
【図１０】
0003234901.tif 000012